(57)【要約】  本発明は、少なくとも第１の部分および第２の部分を有する医薬組成物用キャリアに関する。第１の部分および第２の部分の各々は、医薬組成物を収納するための少なくとも２つの空洞、および上記少なくとも２つの空洞を覆う少なくとも１つのカバーシートを含む。第１の部分および第２の部分の空洞は、第１の部分および第２の部分を、第１の部分の空洞が第２の部分の空洞間の空間に位置決めされる折り重なり構成に置くことができるように配置されている。第１の部分の空洞の少なくとも１つは、少なくとも１つの隆起部を含み、第２の部分の空洞の少なくとも１つは、上記少なくとも１つの隆起部と係合して、第１の部分と第２の部分との相互係合を形成するように構成されている少なくとも１つの陥凹部を含む。この係合により、第１の部分および第２の部分の相互の動きが制限され、剛構造がもたらされる。本発明は、そのようなキャリアおよびそのようなキャリアを保持するための容器に更に関する。【選択図】図１４
2019514455.tif 000002
【特許請求の範囲】
【請求項１】
医薬組成物またはサプリメント剤用のキャリア（１３、２０、２３）であって、少なくとも第１の部分および第２の部分（１４、１５）を含み、前記第１の部分および第２の部分の各々が、
−医薬組成物を収納するための少なくとも２つの空洞（１６、１７、２８、３４）、および
−前記少なくとも２つの空洞を覆い、要素（３２）を含む少なくとも１つのカバーシート（３０）を含み、
前記第１の部分および第２の部分（１４、１５）の空洞が、前記第１の部分および第２の部分（１４、１５）を、前記第２の部分（１５）の空洞間の空間（１９）に前記第１の部分（１４）の空洞が位置決めされる折り重なり構成に置くことができるように配置されており、
−前記第１の部分（１４）の空洞の少なくとも１つが、少なくとも１つの隆起部（５６）を含み、
−前記第２の部分（１５）の空洞の少なくとも１つが、前記少なくとも１つの隆起部（５６）と係合して、前記第１の部分と前記第２の部分（１４、１５）との相互係合を形成し、係合により前記第１の部分および第２の部分の相互の動きが制限され、剛構造が得られるように構成されている少なくとも１つの陥凹部（５５）を含む、キャリア。
【請求項２】
−前記第１の部分（１４）の空洞の少なくとも１つが、反対方向に伸長する少なくとも２つの隆起部（５６）を含み、
−前記第２の部分（１５）の少なくとも２つの隣接する空洞が各々、前記第１の部分（１４）の少なくとも１つの空洞の隆起部（５６）の１つと係合するように位置決めおよび構成されている少なくとも１つの陥凹部（５５）を含み、前記第１の部分および第２の部分が折り重なり構成に配置されると、前記陥凹部（５５）を有する少なくとも２つの隣接する空洞間の空間（１９）に、隆起部（５６）を有する空洞が配置され、その結果、前記第１の部分と前記第２の部分（１４、１５）との係合が、前記隆起部（５６）と前記陥凹部（５５）との係合により取得可能である、請求項１に記載の医薬組成物またはサプリメント剤用のキャリア（１３、２０、２３）。
【請求項３】
前記少なくとも２つの隆起部（５６）を含む少なくとも１つの空洞が、前記少なくとも２つの隆起部（５６）と同じ方向に伸長する少なくとも２つの突出部（５７）を更に含み、前記少なくとも２つの突出部（５７）が、前記第２の部分（１５）の空洞の表面と係合するように寸法が定められ、配置されており、その結果、前記第１の部分および第２の部分（１４、１５）の相互の動きが更に制限される、請求項２に記載の医薬組成物またはサプリメント剤用のキャリア（１３、２０、２３）。
【請求項４】
前記第１の部分および第２の部分が、別々のユニットとして製作されている、請求項１〜３のいずれか一項に記載の医薬組成物またはサプリメント剤用のキャリア（１３、２０、２３）。
【請求項５】
前記第１の部分および第２の部分が、１つのユニットの２つの枢動可能に接続されている半体として製作されている、請求項１〜３のいずれか一項に記載の医薬組成物またはサプリメント剤用のキャリア（１３、２０、２３）。
【請求項６】
前記空洞の少なくとも幾つかが、前記少なくとも１つのカバーシートと垂直な方向に伸長する複数の突起（５８）を含む、請求項１〜５のいずれか一項に記載の医薬組成物またはサプリメント剤用のキャリア（１３、２０、２３）。
【請求項７】
前記キャリアの少なくとも１つの縁端（２９）に位置する１つまたは複数の凹部（１８、２６）を含む、請求項１〜６のいずれか一項に記載の医薬組成物またはサプリメント剤用のキャリア（１３、２０、２３）。
【請求項８】
前記少なくとも１つのカバーシートが、前記１つまたは複数の凹部（１８、２６）を覆っている、請求項７に記載の医薬組成物またはサプリメント剤用のキャリア（１３、２０、２３）。
【請求項９】
前記要素（３２）が、破り取り要素、剥ぎ取り要素、切れ端、ストリップ、フラップ、またはそれらの組合せであるかまたは含む、請求項１〜８のいずれか一項に記載の医薬組成物またはサプリメント剤用のキャリア（１３、２０、２３）。
【請求項１０】
前記第１の部分および／または第２の部分が、少なくとも１つの面取り角（５３）を有する、請求項１〜９のいずれか一項に記載の医薬組成物またはサプリメント剤用のキャリア（１３、２０、２３）。
【請求項１１】
−請求項１〜１０のいずれか一項に記載の医薬組成物またはサプリメント剤用のキャリア（１３、２０、２３）と、
−前記医薬組成物用キャリアを保持するための、少なくとも２つの枢動可能に接続されている半体（９、１０）を含む容器８とを含み、
前記２つの旋回的に接続されている半体の少なくとも１つが、１つまたは複数の凹み（６、７、２７）を有する側壁を含み、
前記キャリアが、前記２つの旋回的に接続されている半体（９、１０）の前記少なくとも１つに収納されると、前記１つまたは複数の凹み（６、７、２７）により、ユーザの親指と別の指とで前記要素（３２）をつまむことが可能になる、医薬品パッケージ（１、２４）。
【請求項１２】
前記１つまたは複数の側壁凹み（６、７、２７）および前記１つまたは複数のキャリア凹部（１８、２６）が符合している、請求項１１に記載の医薬品パッケージ（１、２４）。
【請求項１３】
前記キャリア（１３、２０、２３）が、前記２つの枢動可能に接続されている半体（９、１０）の前記少なくとも１つに収納されると、前記１つまたは複数の側壁が、前記キャリアを取り囲む、請求項１１または１２に記載の医薬品パッケージ（１、２４）。
【請求項１４】
前記２つの枢動可能に接続されている半体の少なくとも１つが、キャリアホルダー（１０）であり、前記２つの枢動可能に接続されている半体の他の１つが、蓋（９）である、請求項１１〜１３のいずれか一項に記載の医薬品パッケージ（１、２４）。
【請求項１５】
前記２つの枢動可能に接続されている半体（９、１０）の少なくとも１つが、第１の端壁および第２の端壁を含み、前記第１の端壁（５１）が、前記第２の端壁に向かって伸長する少なくとも１つの突起部（５２）を含む、請求項１１〜１４のいずれか一項に記載の医薬品パッケージ（１、２４）。
【請求項１６】
前記少なくとも１つの突起部（５２）が、前記少なくとも１つの面取り角（５３）に相補的である、請求項１０に従属する場合の請求項１５に記載の医薬品パッケージ（１、２４）。
【発明の詳細な説明】
【技術分野】
【０００１】
本発明は、医薬組成物または栄養補助剤などのサプリメント剤用の医薬品パッケージに関する。
【背景技術】
【０００２】
薬剤、薬物、または栄養補助剤の服薬遵守において、１日１回レジメンは、１日複数用量のレジメンよりも効果的であると考えられる。実際、患者は、１日複数回の医学的助言よりも、１日１回の医学的助言に、より容易に従うことができる。
【０００３】
したがって、最適な１日レジメン、規定の１日用量（ＤＤＤ）、または推奨もしくは処方された１日用量、つまり年齢および／またはトレーニング習慣などの個々の特徴に基づく用量を確実に遵守させるには、異なる医薬組成物または栄養補助剤を組み合わせた複合パッケージングが有用である。
【０００４】
しかしながら、異なる医薬組成物および／またはサプリメント剤を一般的なパッケージで組み合わせることは、異なる組成物および／またはサプリメント剤に存在する化学的化合物間の望ましくない反応または相互作用に結び付く場合があるため、簡単ではない。
【０００５】
特に、栄養補助剤の開発では、製剤中での生物活性物質間の反応は、１つまたは複数の生物活性物質の分解に結び付く重大な問題となる場合がある。これにより、最終製品中の組成物の組合せおよび／または製品の保管寿命期間が制限を受ける場合がある。したがって、最終製品における物質のレシピおよび配合を決定し、かつ良好な安定性を依然として維持するのは難しい。
【０００６】
一般的に、各製剤間の直接接触を回避するため、各錠剤／カプセルは、ボトルなどの異なる容器中に完全に別々にパッケージングされなければならない。しかしながら、これは、消費者にとって便利ではない。
【０００７】
したがって、改良されたブリスターパッケージ、特に便利な１日用量服薬遵守を容易にするブリスターパッケージが有利であると考えられる。
【発明の概要】
【発明が解決しようとする課題】
【０００８】
本発明の目的は、幾つかの異なる医薬製剤またはサプリメント剤を１つの単回使用パッケージに保持するための解決策を提供することである。
【０００９】
本発明の更なる目的は、異なる医薬組成物またはサプリメント剤を保持するように構成されており、開けるのが容易な単回使用パッケージを提供することである。
【００１０】
本発明の別の目的は、使用中の取り扱いが容易である単回使用パッケージを提供することである。
【００１１】
本発明の少なくとも幾つかの実施形態の目的は、従来技術のパッケージよりも製造が容易である医薬品パッケージを提供することである。
【００１２】
本発明の別の目的は、従来技術の代替物を提供することである。
【００１３】
本発明の目的は、従来技術の上記の不都合および欠点を完全にまたは部分的に克服することである。
【００１４】
特に、本発明の更なる目的は、医薬組成物用キャリアおよびキャリアのホルダーを含む新しいパーケージングシステムにより、従来技術の上述の問題を解決する単回使用パッケージを提供することであるとみなすことができる。
【課題を解決するための手段】
【００１５】
複数の配剤は、非常に便利であり得る。しかしながら、複数の配剤は、達成が容易ではない。望ましくない破裂または非適合物質間の接触からの高レベル保護を維持しつつ、便利で容易な方法で、幾つかの格納された物質への複数のアクセスが達成可能でなければならない。
【００１６】
本発明は、特に、しかしながら排他的ではないが、同時簡易アクセスを容易にする簡便で効果的な様式としての複数配剤のアクセスを得るために、したがって、特に物質が複雑な逐次１日療法または食事レジメンの一部として摂取される場合、保管不適合物質を投与するために、有利である。
【００１７】
本発明の利点は、複雑なレジメンの一部としての処方および非処方物質の同時簡易アクセスおよび投与を容易にすることができることである。
【００１８】
上述の目的および幾つかの他の目的は、医薬組成物用キャリアであって、少なくとも第１の部分および第２の部分を含み、第１の部分および第２の部分の各々が、
−医薬組成物を収納するための少なくとも２つの空洞、および
−上記少なくとも２つの空洞を覆い、要素を含む少なくとも１つのカバーシートを含み、
第１の部分および第２の部分の空洞が、第１の部分および第２の部分を、第１の部分の空洞が第２の部分の空洞間の空間に位置決めされる折り重なり構成に置くことができるように配置されており、
−第１の部分の空洞の少なくとも１つが、少なくとも１つの隆起部を含み、
−第２の部分の空洞の少なくとも１つが、上記少なくとも１つの隆起部と係合して、第１の部分と第２の部分との相互係合を形成するように構成されており、この係合により第１の部分と第２の部分との相互の動きが制限されて、剛構造が得られるように構成されている少なくとも１つの陥凹部を含む、キャリアを提供することによる本発明の第１の態様で得られることが意図されている。
【００１９】
第１の部分と第２の部分との相互係合は、上記第２の部分を上記第１の部分に対して互いに折り畳むおよび／または押し付けることにより得ることができる。この行為の一部として、第２の部分の少なくとも１つの陥凹部は、第１の部分の少なくとも１つの隆起部と係合することになり、それにより２つの部分間のあらゆるその後の相互の動きが制限される。「制限される」とは、好ましくは、係合後に２つの部分の相互の動きがより制限されることを意味する。それらは、典型的には、依然として手で相互に外すことが可能である。
【００２０】
剛構造とは、本明細書では、通常の集配所から輸送する際の安全な取り扱いを可能にして望ましくない破裂を回避するように、ある程度の剛性、非屈曲性、および非可撓性を有するという堅固性を特徴とする構造と定義される。
【００２１】
そのようなキャリアの一実施形態では、第１の部分の空洞の少なくとも１つは、反対方向に伸長する少なくとも２つの隆起部を含み、第２の部分の少なくとも２つの隣接する空洞は各々、第１の部分の少なくとも１つの空洞の隆起部の１つと係合するように位置決めおよび構成されている少なくとも１つの陥凹部を含み、第１の部分および第２の部分が折り重なり構成に位置されると、陥凹部を有する少なくとも２つの隣接する空洞間の空間に、隆起部を有する空洞が配置され、隆起部と陥凹部との係合により第１の部分と第２の部分との係合を得ることが可能である。これにより、より剛性の構造を得ることが可能である。
【００２２】
本発明の好ましい実施形態では、隆起部および陥凹部は、隆起部と陥凹部との係合が、スナップ嵌合の確立をもたらすように寸法が決定されている。
【００２３】
そのような実施形態では、少なくとも２つの隆起部を含む少なくとも１つの空洞は、少なくとも２つの隆起部と同じ方角に伸長する少なくとも２つの突出部を更に含み、少なくとも２つの突出部は、第２の部分の空洞の表面と係合し、第１の部分と第２の部分との相互の動きは更に制限されるように寸法決定および配置されている。これにより、構造の剛性は更に向上する。
【００２４】
本発明の好ましい実施形態では、突出部は、突出部とそれらが係合する表面との係合が、締まり嵌めの確立をもたらすように、空洞に対して寸法が決定されており、配置されている。締まり嵌めは、プレス嵌めまたは摩擦嵌合としても知られており、任意の他の締結手段ではなく、部品を互いに押し付けた後の摩擦により達成される２部品間の締結である。
【００２５】
第１の部分および第２の部分は、別々のユニットとして製作されていてもよい。あるいは、第１の部分および第２の部分は、１つのユニットの２つの枢動可能に接続されている半体として製作されていてもよい。「枢動可能に」とは、本明細書では、例えば、特定の点、軸、または縁端、例えば折り目などの枢軸に沿って回転させることができるように枢軸によりまたは枢軸で、枢動可能な様式に接続されていると定義される。そのようなユニットは、例えば、１枚のプラスチックシートまたは厚紙であってもよい。
【００２６】
本発明の幾つかの実施形態では、キャリアは、２つの枢動可能に接続されている半体の少なくとも１つを、キャリア半体が互いに重なり合うように、折り重なり構成へと１８０°折り畳むことにより形成される。したがって、空洞は、キャリアの上部表面および底部表面に存在する。
【００２７】
本発明の幾つかの実施形態では、空洞の少なくとも幾つかは、少なくとも１つのカバーシートと垂直な方角に伸長する複数の突起を含む。そのような突起は、それらが配置されている部分以外の部分と接触し、第１の部分および第２の部分が相互に係合すると、より剛性で安定したキャリアが得られるように、寸法決定および配置されていてもよい。安定性の向上は、キャリアの第１の部分と第２の部分との間に多数の接触点があることによる。
【００２８】
本発明の幾つかの実施形態では、突起は、第１の部分と第２の部分との係合の安定性を更に向上させるために、隆起部および陥凹部の隣接部などのキャリアの他の部分にも存在していてもよい。
【００２９】
幾つかの実施形態では、キャリアは、キャリアの少なくとも１つの縁端に位置する１つまたは複数の凹部を含む。凹部は、キャリアの１つよりも多くの縁端に存在していてもよい。したがって、凹部は、キャリアの縁端の少なくとも１つの形状を画定していてもよい。
【００３０】
１つまたは複数の凹部を含む実施形態では、カバーシートは、１つまたは複数の凹部を覆っていてもよい。特に、カバーシートの要素は、１つまたは複数の凹部を覆っていてもよい。幾つかの実施形態の場合、要素は、挟み込み可能な要素を含んでいてもよい。特に、要素は、破り取り要素、剥ぎ取り要素、切れ目、ストリップ、フラップ、またはそれらの組合せであってもよく、または含んでいてもよい。
【００３１】
第１／第２の部分は、少なくとも１つの面取り角を有していてもよい。
【００３２】
本発明の別の態様では、上述の目的および幾つかの他の目的は、
−上記に記載されているような医薬組成物用キャリアと、
−上記医薬組成物用キャリアを保持するための、少なくとも２つの枢動可能に接続されている半体を含む容器とを含む医薬品パッケージであって、
上記２つの枢動可能に接続されている半体の少なくとも１つは、１つまたは複数の凹みを有する側壁を含み、
上記キャリアが、上記２つの枢動可能に接続されている半体の少なくとも１つに収納されている場合、上記１つまたは複数の凹みにより、ユーザの親指と別の指とで上記要素をつまむことが可能になる、医薬品パッケージを提供することにより得ることができることが意図されている。
【００３３】
したがって、１つまたは複数の凹みにより、ユーザは要素へのアクセスが可能になる。挟み込み可能な要素は、ユーザの親指と指との間で圧迫または押圧することができ、カバーシートを剥離し、したがって取り外すことが可能な要素である。
【００３４】
ユーザの親指と人差し指とで要素をつまむことが可能であることにより、ひいては、カバーシートまたはカバーシートの少なくとも一部を容易に取り外すことが可能になり、カバーシートにより保護されている空洞の内容物への容易なアクセスが可能になる。
【００３５】
「要素をつまむ」とは、親指および指で要素を圧迫または押圧することを指す。
【００３６】
このように、ブリスターの内容物へのアクセスは、カバーシートまたはカバーシートの少なくとも一部をつまむことおよび剥離することにより達成される。また、その点では、「要素をつまむ」は、親指および指で要素を圧迫および引っ張り、したがって要素を引っ張ることによりカバーシートの少なくとも一部を取り外すことを指す。
【００３７】
カバーシートの取り外しは、複数の空洞へのアクセスを提供し、したがって、空洞に収納されている組成物の複数の開封および複数の配剤を提供する。
【００３８】
幾つかの実施形態では、キャリアが、２つの枢動可能に接続されている半体の少なくとも１つに収納されると、１つまたは複数の側壁は、キャリアを取り囲む。
【００３９】
幾つかの実施形態では、カバーシートは、貫通穿孔線により独立した部分に分離される１つのカバーシートであってもよい。
【００４０】
貫通穿孔線は、完全にまたは部分的にカバーシートおよび／またはキャリアを貫通して穿孔されていてもよく、したがってカバーシートの一部は取り外されるが、カバーシートの残りを適所に残すことが可能であってもよい。
【００４１】
独立して圧迫または引っ張ることができる独立要素を有する独立部分は、カバーシートの一部、つまり部分のみを取り外し、他の部分はそのままにしておくことにより、選択した空洞への選択されたアクセスを提供する。
【００４２】
幾つかの実施形態では、キャリアは、１つまたは複数の凹部を含み、１つまたは複数の側壁凹みおよび１つまたは複数のキャリア凹部は符合している。
【００４３】
凹みは、２つの枢動可能に接続されている半体の少なくとも１つの側壁にある切込部、欠刻部、または凹部である。容器側壁の凹みおよびキャリア凹部は符合していてもよく、つまりユーザが要素をつまんで、カバーシートを取り外し、空洞に収納されている医薬組成物またはサプリメント剤にアクセスすることを可能にするような符合するサイズを有してもよい。
【００４４】
容器の側壁の凹みおよびキャリア凹部は、形状が鏡像状であってもよく、つまり、容器または蓋の側壁とキャリアシートとの間に中空路を生成して、ユーザが要素をつまんで、カバーシートを取り外し、空洞に収納されている医薬組成物またはサプリメント剤にアクセスすることを可能にしてもよい。
【００４５】
側壁の凹みおよびキャリアの凹部は、ユーザが要素をつまんで、カバーシートを取り外し、空洞に収納されている医薬組成物にアクセスすることが可能になるように、容器の側壁とキャリアとの間に中空路を生成するように構成されている。
【００４６】
側壁にある凹みのサイズまたは寸法は、カバーシートの把持要素などの要素を迅速および容易に掴み、したがって手に取り、および保持することを可能にするように構成されている。
【００４７】
幾つかの実施形態では、１つまたは複数の側壁凹みおよび１つまたは複数のキャリア凹部は相補的であり、つまりカバーシートの把持要素などの要素を迅速および容易に掴み、したがって手に取り、および保持することを可能にするように形状が相補的である。
【００４８】
幾つかの更なる実施形態では、２つの枢動可能に接続されている半体の少なくとも１つは、キャリアホルダーであり、２つの枢動可能に接続されている半体の他の１つは、蓋である。したがって、少なくとも１つのカバーシートは、少なくとも１つの蓋により保護される。
【００４９】
本発明によるキャリアは、容器無しで使用することもできる。そのような実施形態では、蓋は、望ましくない破裂からカバーシートを保護する取り外し可能なフィルム、ホイル、剛性シート、パネル、または中空体であってもよい。
【００５０】
少なくとも１つの蓋は、プラスチック、プラスチック積層体、プラスチック／紙積層体、またはプラスチック／金属ホイル積層体、または金属で製作されていてもよい。キャリアに好適な非制限的で例示的なプラスチックは、ＰＶＣ、ポリアミド、ポリオレフィン、ポリエステル、ポリカーボネート、テフロン、およびそれらの組合せを含む積層体である。また、少なくとも１つの蓋は、キャリアの空洞に収納されている医薬組成物の目視検査が可能になるように、光の可視領域を少なくとも部分的に透過する物質で製作されていてもよい。
【００５１】
幾つかの実施形態では、少なくとも１つの蓋は完全に取り外し可能である。他の実施形態では、少なくとも１つの蓋は、容器に位置する少なくとも１つの回転継手に沿って蓋を回転させることにより開けることができる。
【００５２】
キャリアホルダーおよび蓋は、枢動可能に接続されていてもよい。
【００５３】
幾つかの他の実施形態では、少なくとも１つの蓋は、結合能力を有する長くて薄い一片のプラスチック、布、または紙、例えば一片のテープなどの、少なくとも１つの粘着性要素である、またはこれを含んでいる。そうした実施形態では、カバーおよびキャリアへのアクセスは、キャリアの縁端の１つに沿って蓋を回転させることにより得ることができる。
【００５４】
幾つかの実施形態では、少なくとも１つの回転継手は、ヒンジであってもよい。幾つかの実施形態では、少なくとも１つの回転継手は、枢動ヒンジであってもよい。幾つかの他の実施形態では、少なくとも１つの回転継手は、逆回転モーメントを生成するためのスプリング手段を有する枢動ヒンジであってもよい。枢動ヒンジの存在は、外旋運動による開蓋を可能にする。この実施形態では、閉蓋は、その後、反対の外旋運動により蓋をキャリアホルダーに重ねることにより得られる。
【００５５】
幾つかの他の実施形態では、少なくとも１つの蓋は、スリーブなどの、少なくとも１つの中空体である、またはこれを含んでいる。
【００５６】
幾つかの実施形態では、少なくとも１つのカバーシートは、異なる蓋システムにより保護されていてもよい。例えば、少なくとも１つのカバーシートへのアクセスは、滑動可能なウィンドウ／シャッターシステムにより得ることができる。
【００５７】
キャリアホルダーは、その側壁にある１つまたは複数の凹みを有し、ユーザの親指と別の指とで要素をつまむことが可能であってもよい。
【００５８】
幾つかの実施形態では、２つの枢動可能に接続されている半体の少なくとも１つは、第１の端壁および第２の端壁を含み、第１の端壁は、第２の端壁に向かって伸長する少なくとも１つの突起部を含む。
【００５９】
少なくとも１つの突起部は、キャリアの少なくとも１つの面取り角に対して相補的であってもよい。
【００６０】
医薬品パッケージは、キャリアを容器内部にて所望の方向に位置決めすることができるように構成されており、つまり、面取り縁端および対応する突起部は符合しており、所望のおよび所定の位置にキャリアを位置決めすることが可能である。
【００６１】
キャリアは、１つまたは複数の異なる種類の医薬組成物またはサプリメント剤を保持することができる。
【００６２】
キャリアは、ホルダーとは別々に供給されてもよい。状況に応じて様々な種類および量の医薬組成物またはサプリメント剤を有する詰替用キャリアが供給されてもよい。
【００６３】
本明細書で言及されている医薬組成物は、限定ではないが、任意の生物活性物質を含んでいてもよい。
【００６４】
医薬組成物は、処方および非処方物質であってもよく、または処方および非処方物質に使用される賦形剤であってもよい。
【００６５】
医薬組成物は、薬剤、または栄養補助剤などのサプリメント剤であってもよい。
【００６６】
医薬組成物は、ワクチンなどの処方および非処方物質であってもよい。
【００６７】
非処方物質は、ビタミンもしくはその誘導体、またはミネラル化合物もしくはその誘導体であってもよい。
【００６８】
本明細書で言及されている医薬組成物は、任意の形態およびそれらの組合せを取っていてもよい。そのような形態の例としては、限定ではないが、以下のものが挙げられる：チュアブル錠、急速溶解性錠剤、発泡性錠剤、再構成用粉末、エリキシル、液体、溶液、懸濁液、エマルジョン、錠剤、多層錠剤、二層錠剤、カプセル、軟質ゼラチンカプセル、硬質ゼラチンカプセル、カプレット、ロゼンジ、チュアブルロゼンジ、ビーズ、粉末、顆粒、分散性顆粒、カシェ剤、膣洗浄液、坐剤、クリーム、外用剤、吸入剤、エーロゾル吸入剤、パッチ、粒子吸入剤、移植片、デポー移植片、糖剤、アンプル、摂取可能物（ｉｎｇｅｓｔｉｂｌｅ）、注射剤、輸液、健康バー（ｈｅａｌｔｈ  ｂａｒ）、液体、食品、栄養食品、機能性食品、ヨーグルト、ゼラチン、シリアル、シリアルコーティング（ｃｅｒｅａｌ  ｃｏａｔｉｎｇ）、動物飼料、またはそれらの組合せ。上記形態の調製はいずれも、当業者であれば周知であり容易に使用可能である技法および方法により実施することができる。
【００６９】
本発明の第１のおよび他の態様または実施形態は各々、他の態様または実施形態のいずれと組み合わせてもよい。本発明のこれらおよび他の態様は、以下に記載されている実施形態を参照すれば明白であり、解明されるだろう。
【００７０】
本発明による医薬品パッケージは、添付の図面を参照してより詳細にここで説明されることになる。図面には、本発明を実施する１つの方法が示されており、添付の請求項セットの範囲内に入る他の考え得る実施形態に対する限定として解釈されるべきではない。
【図面の簡単な説明】
【００７１】
【図１】本発明の幾つかの実施形態による、最も長い対向する側に位置する２つの開操作用手段を有する、その閉状態にある単回使用医薬品パッケージを概略的に示す３次元図である。
【図２】本発明の幾つかの実施形態による、医薬組成物用キャリアが取り外された際のその開状態にある単回使用医薬品パッケージを概略的に示す３次元図である。
【図３】図２に示されているその開状態にある単回使用医薬品パッケージを示す図である。
【図４】本発明の幾つかの実施形態による、その折り畳まれていない状態にある上部表面キャリアを概略的に示す３次元図である。
【図５】本発明の幾つかの実施形態による、その折り畳まれていない状態にあるキャリアの底部表面を概略的に示す３次元図である。
【図６】本発明の幾つかの実施形態による、その折り畳み状態にあるキャリアを示す図である。
【図７】本発明の幾つかの実施形態による、ホルダーに収納されているその折り畳み状態にあるキャリアを概略的に示す３次元図である。
【図７ａ】カバーシートの輪郭がキャリア上に示されている図７のパッケージを示す図である。
【図７ｂ】透明カバーシートにより保護された異なる医薬組成物またはサプリメント剤が詰替えられている図７および７ａのパッケージを示す図である。
【図７ｃ】その折り畳まれていない状態にある図７ｂのパッケージを示す図である。
【図８】本発明の幾つかの実施形態による単回使用医薬品パッケージのキャリアを概略的に示す３次元図である。
【図９】本発明の幾つかの実施形態によるパッケージを使用して、容器の内容物へのアクセスを得るための方法を示す図である。
【図１０】本発明の幾つかの実施形態による、その折り畳まれていない状態にあるキャリアを示す図である。
【図１１】本発明の幾つかの実施形態による、キャリアを保持するための容器を示す図である。
【図１２】本発明の幾つかの実施形態による、キャリアが容器に挿入されているパッケージを示す図である。
【図１３】空洞が隆起部および陥凹部を含み、これら２つの部分が折り畳み構成に折り畳まれると相互に係合するように構成されているキャリアを示す図である。
【図１４】図１４ａおよび図１４ｂは、それぞれ図１３のＡ−Ａ線およびＢ−Ｂ線に沿った図１３のキャリアの断面図である。
【図１５】容器を開けるためのボタンを含む、本発明の２つの実施形態を示す図である。図１５ａおよび図１５ｂは、１つの実施形態を２つの反対方向から見た図であり、図１５ｃおよび図１５ｄは、それぞれ閉状態および半開状態にある別の実施形態を示す図である。
【発明を実施するための形態】
【００７２】
図１には、その閉状態にある単回使用医薬品パッケージ１を概略的に示す３次元図が示されている。パッケージ１は、パッケージの最も長い対向する側に位置する開操作用要素２および３（図の方向からは見えない）を示す。また、図１は、パッケージの最も長い対向する側に位置する把持要素４および５（図の方向からは見えない）を示す。把持要素４および５ならびに開操作用要素２および３は、互いに便利に近接して位置する。把持要素は、開操作用要素と同じサイズおよび形状を有していてもよく、その場合は、ある程度の小児安全性が提供される。小児は、どちらの要素が開操作用要素であるか混乱することになり、パッケージを開けることが難しくなるためである。一般的に、パッケージおよび／または容器および／または蓋は、ある程度の小児保護を提供するために、同じサイズおよび形状を有する機能性および非機能性要素を含んでいてもよい。
【００７３】
図２には、医薬組成物用キャリアを取り外した際のその開状態にある単回使用医薬品パッケージ８を概略的に示す３次元図が示されている。
【００７４】
容器８は、少なくとも２つの枢動可能に接続されている半体、つまり蓋９およびホルダー１０を含む。両方とも、１つまたは複数の凹みを有する側壁を含んでいてもよい。図２には、凹み６および７を有するホルダー側壁が示されている。
【００７５】
凹み６および７は、湾曲した形状を有する。しかしながら、凹みは、キャリアの空洞を覆うカバーシートへの指のアクセスを可能にする任意の形状、サイズ、または寸法を有していてもよい。したがって、凹みは、カバーシートの少なくとも一部に存在する把持要素を指で掴むことが可能になるように構成されている。
【００７６】
容器８は、硬質ポリマーなどのプラスチック材料で製作されている箱などの筐体であってもよい。
【００７７】
蓋９は、容器を閉じ、収納されている医薬組成物用キャリアを保護する機能を有する。蓋９およびホルダー１０は、蓋９をホルダー１０に折り畳むおよび／または押し付けると、蓋９の部材１２と相互に係合する部材１１をホルダー１０に有する開操作用要素を含む。
【００７８】
図３には、図２に示されているその開状態にある単回使用医薬品パッケージ８の図が示されている。
【００７９】
図４には、折り畳まれていないキャリア１３の上部表面を概略的に示す３次元図が示されている。
【００８０】
キャリア１３は、少なくとも第１の部分１４および第２の部分１５を含む。第１の部分１４および第２の部分１５は、上記第２の部分１５および上記第１の部分１４を互いに折り畳むおよび／または押し付けると相互に係合するように構成されている。
【００８１】
空洞１６および１７は、１つまたは複数の医薬組成物を収容するような寸法およびサイズを有する。例えば、図４には、例えば、液体を含むカプセルの形態をした１つの医薬組成物が収納されていてもよいより小さな空洞１７、および錠剤の形態をした１つよりも多くの医薬組成物が収納されていてもよいより大きな空洞１６が示されている。
【００８２】
キャリア１３は、キャリア１３の縁端に凹部１８を含む。凹部は、一方の側部縁端にあってもよく、または両方の側部縁端にあってもよい。
【００８３】
キャリア１３は、一般的に、熱成形されたプラスチック板で製作されている。
【００８４】
図５には、その折り畳まれていない状態のキャリア１３の底部表面を概略的に示す３次元図が示されている。
【００８５】
第１の部分１５の空洞１６および１７は、第２の部分１４の他の空洞間の空間１９に嵌合して、第２の部分１４の他の空洞間との締まり嵌めにより係合するようなサイズ、寸法、および形状を有することを理解することができる。したがって、第１の部分１５を第２の部分１４に折り畳むことにより剛構造がもたらされる。
【００８６】
図６には、その折り畳み状態にあるキャリア２０の図が示されている。第１の部分および第２の部分の空洞が相補的な形状を有するため、第２の部分２２への第１の部分２１の容易な折り畳みが可能である。したがって、第１のキャリア部分の空洞は、キャリアが折り畳まれると、第２のキャリア部分の空洞と締まり嵌めで係合するように構成されている。
【００８７】
２つの相補的形状は、それらの表面が相互に係合するように、例えば、プラグ−ソケットまたは鍵−錠前のように、共に組み合わせることができる。
【００８８】
締まり嵌めは、プレス嵌めとも呼ばれ、キャリア、例えば空洞の相補的形状が押し込んで接触させた後の単なる摩擦により、２つのキャリア間に締結を提供する。
【００８９】
図６には、キャリア２０が、その縁端に凹部を有し、凹部は、キャリアがその折り畳み状態であるかまたは折り畳まれていない状態であるかに関わりなく、キャリアの同じ側にあることが示されている。
【００９０】
凹部は、キャリアの同じ側に位置するのが便利であるが、凹みは、ホルダーの最も長い対向する側の両方に位置する。キャリアの上部表面の空洞に収納されている医薬組成物を使用したら、キャリアを、ホルダーから持ち上げ、１８０°逆さまにして、ホルダーに再挿入することができる。このようにすると、キャリアの底部表面がアクセス可能になり、キャリアの底部表面を覆うカバーシートが、ホルダーの対向する側に位置する凹みからアクセス可能になる。
【００９１】
図７には、その折り畳み状態にあるキャリア２３がホルダー２５に収納されているパッケージ２４の図が示されている。
【００９２】
キャリア２３の凹部２６は、ホルダー２５の側壁の凹み２７と符合している。これにより、親指などの指を、凹み２７と凹部２６との間に生成された開口部に進入させることが可能になる。キャリア２３が医薬組成物を収納している場合、カバーシート（非表示）は、医薬組成物を覆って保護し、キャリア２３の縁端２９に到達し、したがって凹部２６も覆っている。
【００９３】
図７ａには、カバーシート３０がキャリア２３上に配置されている、図７のパッケージ２４が示されている。カバーシート３０は、縁端２９に到達し、凹部２６を覆っている。
【００９４】
凹み２７、および凹部２６を覆うカバーシート３０により画定される開口部３１により、ユーザの親指と別の指とで要素３２をつまむことが可能になる。
【００９５】
穿孔線３３により、他の空洞の密封を維持しつつ、空洞３４および２８の複数の開封が可能になる。
【００９６】
図７ｂには、空洞の一方には３つの錠剤が充填されており、他方の空洞には、液体を含有するカプセルが充填されているパッケージ２４が示されている。錠剤およびカプセルは、透明カバーシートにより保護されている。
【００９７】
図７ｃには、それらの折り畳まれていない状態にあるパッケージ３９および４０が示されている。２つのパッケージの３つの錠剤の位置決めは、充填手順が異なるため異なっていることに留意されたい。
【００９８】
図８には、少なくとも１つの空洞が複数区画特徴を有するキャリア３５を概略的に示す３次元図が示されている。キャリア３５は、空洞３６および３７を有する。空洞３７内部の空間は、部分壁３８などの分離３８により分離されている。これにより、例えば錠剤の形態が異なる医薬組成物またはサプリメント剤の、単一空洞内部での物理的分離が保証される。
【００９９】
分離壁３８は、つまり、最も高いところが空洞の深さよりも低い寸法を有する。したがって、キャリア表面とカバーシートとの間の必要とされる密封点の数は、複数の空洞を有するキャリアと比較して少ない場合がある。
【０１００】
複数区画空洞を有するキャリアは、医薬組成物間の物理的接触が依然として妨害されている様式で保管されている複数の医薬組成物またはサプリメント剤への容易なアクセスを可能にするという利点を有する。
【０１０１】
図９には、本発明の幾つかの実施形態によるパッケージを使用し、容器の内容物にアクセスするための方法が示されている。
【０１０２】
医薬品パッケージを開けるためには、開錠ボタンなどの開操作用手段を押して、容器を開けてもよい。キャリアを取り出すことができ、錠剤へのアクセスは、ストリップを取り外すことにより達成することができる。これは、ホルダーがその側壁に沿って凹みを有していない場合、便利であり得る。
【０１０３】
本発明の他の幾つかの実施形態によると、空洞の内容物への直接アクセスは、凹みが存在することにより、キャリアをホルダーに収納させたまま、ストリップ要素またはカバーシートの一部を直接取り外すことにより達成することができる。
【０１０４】
図１０には、本発明の幾つかの実施形態による、その折り畳まれていない状態にあるキャリアの図が示されている。
【０１０５】
図１１には、本発明の幾つかの実施形態による、キャリアを保持するための容器の図が示されている。図１１には、上記容器の２つの枢動可能に接続されている半体５０の１つが、第２の端壁に向かって伸長する、２つの突起部５２を含む第１の端壁５１を含むことが示されている。
【０１０６】
図１２には、本発明の幾つかの実施形態による、キャリアが容器に挿入されているパッケージの図が示されている。図１２は、突起部５２が、面取り縁端５３に相補的であってもよいことが示されている。
【０１０７】
したがって、医薬品パッケージは、折り畳んだキャリア５４を容器内部で所望の方向に位置決めすることができるように構成されており、つまり、面取り縁端５３および対応する突起部５２は、キャリア５４を所望のおよび所定の位置に位置決めすることが可能になるように符合している。
【０１０８】
これには、医薬組成物またはサプリメント剤を収納するキャリアを、容器の側壁の凹みとキャリアの縁端の凹部との間の完全な符合が可能になるような所望の方向にのみ位置決めすることができるという利点がある。このようにすると、ユーザは、カバーシートを取り外すためのカバーシートの要素をつまむことが容易になり、医薬組成物またはサプリメント剤を収納する空洞にアクセスすることができるだろう。
【０１０９】
図１３には、本発明によるキャリア１３であって、第１の部分１４の空洞１６の１つが、反対方向に伸長する隆起部５６を含み、第２の部分１５の空洞１６の２つが、２つの部分１４および１５が折り畳みおよび折り重なり構成に折り畳まれると相互に係合するように構成されている陥凹部５５を含むキャリアが示されている。これにより、第１の部分と第２の部分との相互係合を得ることができ、この係合により第１の部分および第２の部分の相互の動きが制限され、剛構造がもたらされる。図１３の実施形態では、隆起部５６および陥凹部５５は、より大きな空洞に設けられている。しかしながら、より大きな空洞ではなく、またはより大きな空洞と組み合わせて、より小さな空洞に隆起部および陥凹部を設けることも可能だろう。図示されているように、２つの隆起部５６を含む空洞１６は、２つの隆起部５６と同じ方向に伸長する２つの突出部５７を更に含む。２つの突出部５７は、第２の部分１５の空洞１６の表面と係合し、第１の部分１４および第２の部分１５の相互の動きが更に制限されるように寸法決定および配置されている。
【０１１０】
図１３に示されているように、空洞は、少なくとも１つのカバーシートと垂直な方向に伸長する複数の突起５８を含んでいてもよい。そのような突起５８は、好ましくは、それらが配置されている部分以外の他の部分と接触するように寸法決定および配置されている。これにより、第１の部分および第２の部分が相互に係合すると、より剛性で安定したキャリアが得られる。安定性の向上は、キャリアの第１の部分と第２の部分との間に多数の接触点があることによる。
【０１１１】
図１４ａおよび図１４ｂには、それぞれ図１３のＡ−Ａ線およびＢ−Ｂ線に沿った、図１３のキャリアの断面が示されている。
【０１１２】
図１５ａおよび図１５ｂには、本発明の幾つかの実施形態による、医薬品パッケージの最も短い対向する側に位置する１対の開操作用要素５８、５９を有する、その閉状態にある医薬品パッケージを概略的に示す３次元図が示されている。このようにすると、小児の手は、開ける時に、小児の親指と小児の４本の他の指の１つと間の距離よりも長い距離に位置する開操作用要素５８、５９の両方に同時に圧力をかけることができないため、高レベルの小児安全性が達成される。
【０１１３】
図１５ｃおよび図１５ｄには、本発明の幾つかの実施形態による、その閉状態にある医薬品パッケージの容器８および開ける途中の医薬品パッケージの容器８を概略的に示す３次元図が示されている。開操作用要素６０、６１に圧力をかけると、容器８は開錠され、開けることができ、それにより内容物へのアクセスが得られる。
【０１１４】
図１５では、容器８には凹みが示されていないが、それは簡潔に図示するために過ぎず、そのような凹みは、本発明による医薬品パッケージの容器形成部分に存在することになる。
【０１１５】
本発明は、特定の実施形態に関連して説明されているが、提示されている例に限定されるとは、いかなる点でも解釈されるべきでない。本発明の範囲は、添付の請求項セットにより示されている。特許請求の範囲の文脈では、用語「含む（ｃｏｍｐｒｉｓｉｎｇ）」または「含む（ｃｏｍｐｒｉｓｅｓ）」は、他の考え得る要素またはステップを除外しない。また、「１つの（ａ）」または「１つの（ａｎ）」などの参照事項の言及は、複数を除外すると解釈されるべきでない。また、図示されている要素に関する特許請求の範囲での参照符号の使用は、本発明の範囲を限定するとは解釈されないものとする。更に、異なる請求項で言及されている個々の特徴は、有利に組み合わせることができる可能性があるが、異なる請求項におけるそうした特徴の言及は、特徴の組合せが可能でないことおよび有利ではないことを除外しない。
【図１】
2019514455.tif 000003
【図２】
2019514455.tif 000004
【図３】
2019514455.tif 000005
【図４】
2019514455.tif 000006
【図５】
2019514455.tif 000007
【図６】
2019514455.tif 000008
【図７】
2019514455.tif 000009
【図７ａ】
2019514455.tif 000010
【図７ｂ】
2019514455.tif 000011
【図７ｃ】
2019514455.tif 000012
【図８】
2019514455.tif 000013
【図９】
2019514455.tif 000014
【図１０】
2019514455.tif 000015
【図１１】
2019514455.tif 000016
【図１２】
2019514455.tif 000017
【図１３】
2019514455.tif 000018
【図１４】
2019514455.tif 000019
【図１５】
2019514455.tif 000020
【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
医薬組成物またはサプリメント剤用のキャリア（１３、２０、２３）であって、少なくとも第１の部分および第２の部分（１４、１５）を含み、前記第１の部分および第２の部分の各々が、
−医薬組成物を収納するための少なくとも２つの空洞（１６、１７、２８、３４）、および
−前記少なくとも２つの空洞を覆い、要素（３２）を含む少なくとも１つのカバーシート（３０）を含み、
前記第１の部分および第２の部分（１４、１５）の空洞が、前記第１の部分および第２の部分（１４、１５）を、前記第２の部分（１５）の空洞間の空間（１９）に前記第１の部分（１４）の空洞が位置決めされる折り重なり構成に置くことができるように配置されており、
−前記第１の部分（１４）の空洞の少なくとも１つが、反対方向に伸長する少なくとも２つの隆起部（５６）を含み、
−前記第２の部分（１５）の少なくとも２つの隣接する空洞が各々、前記第１の部分（１４）の前記少なくとも１つの空洞の前記少なくとも２つの隆起部（５６）の１つと係合して前記第１の部分と第２の部分（１４、１５）との相互係合を形成して、スナップ嵌合の確立をもたらし、係合により前記第１の部分および第２の部分の相互の動きが制限されるように位置決めおよび構成されている少なくとも１つの陥凹部（５５）を含み、したがって、前記第１の部分および第２の部分が折り重なり構成に配置されると、前記陥凹部（５５）を有する少なくとも２つの隣接する空洞間の空間（１９）に、隆起部（５６）を有する空洞が配置される剛構造が得られ、その結果、前記第１の部分と第２の部分（１４、１５）との係合が、前記隆起部（５６）と前記陥凹部（５５）との係合により取得可能であり、
前記少なくとも２つの隆起部（５６）を含む少なくとも１つの空洞は、前記少なくとも２つの隆起部（５６）と同じ方向に伸長する少なくとも２つの突出部（５７）を更に含み、前記少なくとも２つの突出部（５７）が、前記第２の部分（１５）の空洞の表面と係合して、締まり嵌めの確立をもたらし、前記第１の部分および第２の部分（１４、１５）の相互の動きが更に制限されるように寸法決定および配置されている、
キャリア。
【請求項２】
前記第１の部分および第２の部分が、別々のユニットとして製作されている、請求項１に記載の医薬組成物またはサプリメント剤用のキャリア（１３、２０、２３）。
【請求項３】
前記第１の部分および第２の部分が、１つのユニットの２つの枢動可能に接続されている半体として製作されている、請求項１又は２に記載の医薬組成物またはサプリメント剤用のキャリア（１３、２０、２３）。
【請求項４】
前記空洞の少なくとも幾つかが、前記少なくとも１つのカバーシートと垂直な方向に伸長する複数の突起（５８）を含む、請求項１〜３のいずれか一項に記載の医薬組成物またはサプリメント剤用のキャリア（１３、２０、２３）。
【請求項５】
前記キャリアの少なくとも１つの縁端（２９）に位置する１つまたは複数の凹部（１８、２６）を含む、請求項１〜４のいずれか一項に記載の医薬組成物またはサプリメント剤用のキャリア（１３、２０、２３）。
【請求項６】
前記少なくとも１つのカバーシートが、前記１つまたは複数の凹部（１８、２６）を覆っている、請求項５に記載の医薬組成物またはサプリメント剤用のキャリア（１３、２０、２３）。
【請求項７】
前記要素（３２）が、破り取り要素、剥ぎ取り要素、切れ端、ストリップ、フラップ、またはそれらの組合せであるかまたは含む、請求項１〜６のいずれか一項に記載の医薬組成物またはサプリメント剤用のキャリア（１３、２０、２３）。
【請求項８】
前記第１の部分および／または第２の部分が、少なくとも１つの面取り角（５３）を有する、請求項１〜７のいずれか一項に記載の医薬組成物またはサプリメント剤用のキャリア（１３、２０、２３）。
【請求項９】
−請求項１〜８のいずれか一項に記載の医薬組成物またはサプリメント剤用のキャリア（１３、２０、２３）と、
−前記医薬組成物用キャリアを保持するための、少なくとも２つの枢動可能に接続されている半体（９、１０）を含む容器８とを含み、
前記２つの旋回的に接続されている半体の少なくとも１つが、１つまたは複数の凹み（６、７、２７）を有する側壁を含み、
前記キャリアが、前記２つの旋回的に接続されている半体（９、１０）の前記少なくとも１つに収納されると、前記１つまたは複数の凹み（６、７、２７）により、ユーザの親指と別の指とで前記要素（３２）をつまむことが可能になる、
医薬品パッケージ（１、２４）。
【請求項１０】
前記１つまたは複数の側壁凹み（６、７、２７）および前記１つまたは複数のキャリア凹部（１８、２６）が符合している、請求項９に記載の医薬品パッケージ（１、２４）。
【請求項１１】
前記キャリア（１３、２０、２３）が、前記２つの枢動可能に接続されている半体（９、１０）の前記少なくとも１つに収納されると、前記１つまたは複数の側壁が、前記キャリアを取り囲む、請求項９又は１０に記載の医薬品パッケージ（１、２４）。
【請求項１２】
前記２つの枢動可能に接続されている半体の少なくとも１つが、キャリアホルダー（１０）であり、前記２つの枢動可能に接続されている半体の他の１つが、蓋（９）である、請求項９〜１１のいずれか一項に記載の医薬品パッケージ（１、２４）。
【請求項１３】
前記２つの枢動可能に接続されている半体（９、１０）の少なくとも１つが、第１の端壁および第２の端壁を含み、前記第１の端壁（５１）が、前記第２の端壁に向かって伸長する少なくとも１つの突起部（５２）を含む、請求項９〜１２のいずれか一項に記載の医薬品パッケージ（１、２４）。
【請求項１４】
前記少なくとも１つの突起部（５２）が、前記少なくとも１つの面取り角（５３）に相補的である、請求項１０に従属する場合の請求項１３に記載の医薬品パッケージ（１、２４）。
【国際調査報告】
2019514455.tif 000021
2019514455.tif 000022